(57)【要約】【課題】医療器材に対するメモ情報の管理を容易に行うことが可能な医療器材用メモ情報管理装置及び医療器材用メモ情報管理システムを提供する。【解決手段】医療器材の画像データの原本を保存する原本記憶部、所定の画像データに対して入力されたメモ情報を示すメモデータを生成するメモデータ生成部、生成されたメモデータを、所定の画像データと関連付けて時系列に保存するメモデータ記憶部、所定の画像データに関連付けられている複数のメモデータから選択されたメモデータを、当該所定の画像データの原本に重ねて表示させる表示制御部を有する医療器材用メモ情報管理装置。【選択図】図３
2018022380.tif 000002
【特許請求の範囲】
【請求項１】
医療器材の画像データの原本を保存する原本記憶部と、
所定の前記画像データに対して入力されたメモ情報を示すメモデータを生成するメモデータ生成部と、
生成された前記メモデータを、前記所定の画像データと関連付けて時系列に保存するメモデータ記憶部と、
前記所定の画像データに関連付けられている複数の前記メモデータから選択されたメモデータを、当該所定の画像データの原本に重ねて表示させる表示制御部と、
を有する医療器材用メモ情報管理装置。
【請求項２】
前記表示制御部は、複数の前記メモデータのうち、最新のメモデータを重ねて表示させることを特徴とする請求項１記載の医療器材用メモ情報管理装置。
【請求項３】
前記表示制御部は、前記所定の画像データの原本のみを表示させることを特徴とする請求項１または２記載の医療器材用メモ情報管理装置。
【請求項４】
前記メモデータと前記所定の画像データとが重ねて表示された状態で新たなメモ情報が入力された場合、前記メモデータ生成部は、前記メモデータに当該新たなメモ情報を重ねた新たなメモデータを生成し、
前記メモデータ記憶部は、前記新たなメモデータを前記メモデータとは別のデータとして保存することを特徴とする請求項１〜３のいずれか一つに記載の医療器材用メモ情報管理装置。
【請求項５】
前記メモデータは、前記所定の画像データに対して前記メモ情報を描画したストロークデータであることを特徴とする請求項１〜４のいずれか一つに記載の医療器材用メモ情報管理装置。
【請求項６】
前記医療器材は、複数の器材からなるセットであることを特徴とする請求項１〜５のいずれか一つに記載の医療器材用メモ情報管理装置。
【請求項７】
複数の医療器材用メモ情報管理装置と、サーバとを含む医療器材用メモ情報管理システムであって、
前記医療器材用メモ情報管理装置は、
医療器材の画像データの原本を保存する原本記憶部と、
所定の前記画像データに対して入力されたメモ情報を示すメモデータを生成するメモデータ生成部と、
生成された前記メモデータを、前記所定の画像データと関連付けて時系列に保存するメモデータ記憶部と、
前記所定の画像データに関連付けられている複数の前記メモデータから選択されたメモデータを、当該所定の画像データの原本に重ねて表示させる表示制御部と、
を有し、
前記サーバは、
前記原本記憶部に記憶されている画像データの原本と同じ画像データを記憶するサーバ側原本記憶部と、
一の前記医療器材用メモ情報管理装置から送信された前記メモデータを、前記所定の画像データに関連付けて時系列に保存するサーバ側メモデータ記憶部と、
前記サーバ側メモデータ記憶部に記憶されているメモデータを他の前記医療器材用メモ情報管理装置に配信するメモデータ配信部と、
を有する医療器材用メモ情報管理システム。
【請求項８】
前記他の医療器材用メモ情報管理装置の表示制御部は、前記画像データを表示させる際に、前記メモデータ記憶部に記憶されていないメモデータがあるかどうかをサーバに問い合わせを行い、
前記メモデータ配信部は、前記問い合わせに基づき、前記メモデータ記憶部に記憶されていないメモデータが前記サーバ側メモデータ記憶部に記憶されていると判断した場合に、当該メモデータを前記他の医療器材用メモ情報管理装置に配信することを特徴とする請求項８記載の医療器材用メモ情報管理システム。
【請求項９】
一の前記医療器材用メモ情報管理装置の原本記憶部と他の前記医療器材用メモ情報管理装置の原本記憶部は、同じ医療器材の画像データを保存していることを特徴とする請求項７または８記載の医療器材用メモ情報管理システム。
【発明の詳細な説明】
【技術分野】
【０００１】
本発明は医療器材用メモ情報管理装置、及びそのような装置を含む医療器材用メモ情報管理システムに関する。
【０００２】
患者の手術や検査に用いられる医療器材は類似品が多数存在する。たとえば、手術用の鉗子は、把持部分の形状は同じであるが、用途や適用部位に応じて様々な先端形状を有する。従って、慣れていない作業者にとってはその区別が難しい。
【０００３】
その結果、使用後の医療器材を回収する工程、医療器材を洗浄する工程、医療器材を組み立てる工程、医療器材を滅菌する工程、医療器材を保管する工程、医療器材を手術用に払い出す工程等で、器材間違いや、洗浄・滅菌等の作業間違い（たとえば、本来行うべき方法とは異なる方法で洗浄や滅菌を行ってしまう）が発生する可能性がある。
【０００４】
また、医療器材は、複数の器材からなるセットとして管理される場合もある。これらのセットの内容は、一部器材の故障・修理・欠品や、故障に伴う代替品の割り当て等により頻繁に変化する。更に、複数の器材からなるセットは、器材間違いや作業間違いがより発生し易い。
【０００５】
上述の器材間違い等の防止や、頻繁に変化する内容を把握するために、実際の医療現場では、注意点等をまとめたメモ情報を付加することが行われている。
【０００６】
たとえば、医療器材を撮影した写真に対し、メモ情報を直接書き込む、或いはメモ情報を書き込んだ紙を貼り付けるといった、紙ベースの作業手順書による管理が行われている。
【０００７】
また、データベースに登録されている情報を参照して、医療機器に関する管理レポートを作成する機能を有する医療機器管理システムが存在する（非特許文献１参照）。
【先行技術文献】
【非特許文献】
【０００８】
【非特許文献１】“医療機器管理システム  ＣＥＩＡ  Ｓｙｓｔｅｍ”、［ｏｎｌｉｎｅ］、アルカディア・システムズ株式会社、［平成２８年６月２４日検索］、インターネット＜ＵＲＬ：http://www.arc-mec.com/main.cgi?c=4:2＞
【発明の概要】
【発明が解決しようとする課題】
【０００９】
しかし、紙ベースでメモ情報を管理する場合には、様々な問題がある。たとえば、複数のメモ情報がバラバラに貼り付けられているため、確認すべきメモ情報や最新のメモ情報がどれか分からないという問題がある。また、時系列でメモ情報が記録されている場合であっても、不要なメモ情報の履歴がそのままになっていたり、保管スペースや記入スペースの問題から過去のメモ情報が廃棄される場合がある。更には、メモ情報を書いた紙自体が紛失してしまうケースもありうる。従って、紙ベースの方法では、メモ情報の管理が十分になされているとはいえない。内容の変化に伴ってメモ情報が頻繁に更新される医療器材のセットの場合、その管理は特に不十分となりがちである。
【００１０】
また、非特許文献１に記載の医療機器管理システムは、画像データと管理レポートとが別画面で表示されるため、仮に管理レポートに注意点やセット内容が記載されているとしてもその内容を把握し難い。すなわち、非特許文献１に記載の医療機器管理システムを利用するとしても、医療器材に対するメモ情報の管理を十分に行うことは困難である。
【００１１】
本発明の目的は、医療器材に対するメモ情報の管理を行うことが可能な医療器材用メモ情報管理装置及び医療器材用メモ情報管理システムを提供することにある。
【課題を解決するための手段】
【００１２】
上記目的を達成するための主たる発明は、医療器材の画像データの原本を保存する原本記憶部と、所定の前記画像データに対して入力されたメモ情報を示すメモデータを生成するメモデータ生成部と、生成された前記メモデータを、前記所定の画像データと関連付けて時系列に保存するメモデータ記憶部と、前記所定の画像データに関連付けられている複数の前記メモデータから選択されたメモデータを、当該所定の画像データの原本に重ねて表示させる表示制御部と、を有する医療器材用メモ情報管理装置である。
本発明の他の特徴については、本明細書の記載により明らかにする。
【発明の効果】
【００１３】
本発明によれば、医療器材に対するメモ情報の管理を行うことができる。
【図面の簡単な説明】
【００１４】
【図１】実施形態に係る医療器材用メモ情報管理システムの構成を示す模式図である。
【図２】実施形態に係る医療器材用メモ情報管理装置のハードウェア構成例を示す図である。
【図３】実施形態に係る医療器材用メモ情報管理装置のソフトウェア構成例を示す図である。
【図４】実施形態に係る原本記憶部に記憶されているデータ例を示す図である。
【図５Ａ】実施形態に係る端末の表示画面を示す図である。
【図５Ｂ】実施形態に係る端末の表示画面を示す図である。
【図５Ｃ】実施形態に係る端末の表示画面を示す図である。
【図５Ｄ】実施形態に係る端末の表示画面を示す図である。
【図６】実施形態に係るメモデータ記憶部に記憶されているデータ例を示す図である。
【図７】実施形態に係るサーバのハードウェア構成例を示す図である。
【図８】実施形態に係るサーバのソフトウェア構成例を示す図である。
【図９】実施形態に係る医療器材用メモ情報管理システムの処理を示すフローチャートである。
【発明を実施するための形態】
【００１５】
後述する明細書及び図面の記載から、上記の主たる発明の他、少なくとも以下の事項が明らかとなる。
【００１６】
すなわち、前記表示制御部が、複数の前記メモデータのうち、最新のメモデータを重ねて表示させる医療器材用メモ情報管理装置が明らかとなる。このような装置によれば、作業者に対して最新のメモ情報を提供することができる。
【００１７】
また、前記表示制御部は、前記所定の画像データの原本のみを表示させる医療器材用メモ情報管理装置が明らかとなる。このような装置によれば、医療器材の現状を正確に把握することができる。
【００１８】
また、前記メモデータと前記所定の画像データとが重ねて表示された状態で新たなメモ情報が入力された場合、前記メモデータ生成部は、前記メモデータに当該新たなメモ情報を重ねた新たなメモデータを生成し、前記メモデータ記憶部は、前記新たなメモデータを前記メモデータとは別のデータとして保存する医療器材用メモ情報管理装置が明らかとなる。このような装置によれば、一つの画像データに対して複数回に渡ってメモ情報が入力された場合であっても、時系列に保存されたメモ情報の履歴から、任意の時点におけるメモ情報を確認することが可能となる。
【００１９】
また、前記メモデータが前記所定の画像データに対して前記メモ情報を描画したストロークデータである医療器材用メモ情報管理装置が明らかとなる。図形を描画したストロークデータをメモデータとして用いることにより、作業者は注意点等を視覚的に把握し易くなる。
【００２０】
また、前記医療器材は、複数の器材からなるセットである医療器材用メモ情報管理装置が明らかとなる。本装置によれば、医療器材がセットの場合であっても、その一部器材に対してメモ情報を入力することができる。
【００２１】
更に、複数の医療器材用メモ情報管理装置と、サーバとを含む医療器材用メモ情報管理システムであって、前記医療器材用メモ情報管理装置は、医療器材の画像データの原本を保存する原本記憶部と、所定の前記画像データに対して入力されたメモ情報を示すメモデータを生成するメモデータ生成部と、生成された前記メモデータを、前記所定の画像データと関連付けて時系列に保存するメモデータ記憶部と、前記所定の画像データに関連付けられている複数の前記メモデータから選択されたメモデータを、当該所定の画像データの原本に重ねて表示させる表示制御部と、を有し、前記サーバは、前記原本記憶部に記憶されている画像データの原本と同じ画像データを記憶するサーバ側原本記憶部と、一の前記医療器材用メモ情報管理装置から送信された前記メモデータを、前記所定の画像データに関連付けて時系列に保存するサーバ側メモデータ記憶部と、前記サーバ側メモデータ記憶部に記憶されているメモデータを他の前記医療器材用メモ情報管理装置に配信するメモデータ配信部と、を有する医療器材用メモ情報管理システムが明らかとなる。このようなシステムによれば、医療器材に対するメモ情報の管理を行うことができる。
【００２２】
また、前記他の医療器材用メモ情報管理装置の表示制御部は、前記画像データを表示させる際に、前記メモデータ記憶部に記憶されていないメモデータがあるかどうかをサーバに問い合わせを行い、前記メモデータ配信部は、前記問い合わせに基づき、前記メモデータ記憶部に記憶されていないメモデータが前記サーバ側メモデータ記憶部に記憶されていると判断した場合に、当該メモデータを前記他の医療器材用メモ情報管理装置に配信する医療器材用メモ情報管理システムが明らかとなる。このようなシステムによれば、画像データを表示する際に、当該画像データに対して入力されたメモ情報を確実に入手することができる。
【００２３】
また、一の前記医療器材用メモ情報管理装置の原本記憶部と他の前記医療器材用メモ情報管理装置の原本記憶部は、同じ医療器材の画像データを保存している医療器材用メモ情報管理システムが明らかとなる。このように各装置間で共通の画像データを保存することにより、ある装置において入力されたメモ情報をシステム全体で共有することができる。
【００２４】
＜実施形態＞
図１〜図９を参照して、本実施形態に係る医療器材用メモ情報管理システム（以下、「システム１」という場合がある）について説明する。なお、「画像」と「画像データ」、及び「メモ情報」と「メモデータ」はそれぞれ一対一に対応するので、本実施形態においては、これらを同一視する場合がある。
【００２５】
医療器材は、たとえば、手術用鉗子、メス、硬性鏡といった手術に用いる器材や、生検用鉗子、超音波プローブ、上部・下部内視鏡といった検査に用いられる器材である。本実施形態に係る医療器材は、複数の器材からなるセット（たとえば、複数の鉗子、メス、剪刀からなる手術用セット）も含む。本実施形態に係る医療器材は、固有の識別ＩＤが設定されている。
【００２６】
＝＝医療器材用メモ情報管理システム＝＝
図１に示すように、システム１は、複数の端末（この例では、「端末Ｐ１」、「端末Ｐ２」、「端末Ｐ３」の３つ）、及びサーバＳを備える。端末Ｐ１〜端末Ｐ３はネットワークＮを介してサーバＳと通信可能となっている。ネットワークＮは、たとえば病院内の専用回線網やインターネット回線である。
【００２７】
＝＝端末＝＝
（ハードウェア構成）
端末Ｐ１〜端末Ｐ３は、医療器材に関する各種情報の入力・表示を行ったり、サーバＳとの間で情報の送受信を行うための装置である。各端末は、据え置き型のパーソナルコンピュータや、携帯端末（ノート型パーソナルコンピュータ、タブレット端末等）である。各端末は、病院内の様々なエリア（使用後の医療器材を回収するエリア、医療器材を洗浄するエリア、医療器材を組み立てるエリア、医療器材を滅菌するエリア、医療器材を保管するエリア等）に配置することができる。
【００２８】
本実施形態に係る端末は、医療器材の画像データに対して入力されるメモ情報（詳細は後述）を管理するための装置として機能する。本実施形態における「（メモ情報の）管理」は、メモ情報の保存、更新、表示、配信等、メモ情報に対する各種処理を含む。端末Ｐ１〜端末Ｐ３は「医療器材用メモ情報管理装置」の一例である。
【００２９】
各端末は同様のハードウェア構成を有するため、以下、端末Ｐ１を例に説明を行う。図２に示すように、端末Ｐ１は、制御部１０、通信部２０、記憶部３０、表示部４０、及び操作部５０を備える。
【００３０】
制御部１０は、ＣＰＵおよびメモリ（いずれも図示なし）を備える。ＣＰＵは、メモリに記憶された動作プログラムを実行することにより各種の制御機能を実現する。メモリは、ＣＰＵに実行されるプログラムを記憶したり、プログラムの実行時に各種情報を一時的に記憶したりする記憶装置である。
【００３１】
通信部２０は、端末Ｐ１とサーバＳとの通信を行うためのインターフェースを提供する。記憶部３０は、各種のデータを記憶する大容量の記憶装置である。表示部４０は、医療器材の画像やメモ情報を表示させるためのディスプレイである。操作部５０は、作業者が端末Ｐ１に対して指示入力を行うための構成である。操作部５０は、たとえば、マウス等の入力手段である。或いは、タッチパネル方式の表示部４０が操作部５０を兼ねるように構成してもよい。制御部１０は、操作部５０からの操作信号を検出し、対応する処理を実行する。
【００３２】
（ソフトウェア構成）
図３は端末Ｐ１のソフトウェア構成例を示す図である。端末Ｐ１は、原本記憶部１００、メモデータ生成部２００、メモデータ記憶部３００、表示制御部４００を備える。原本記憶部１００及びメモデータ記憶部３００は、記憶部３０の記憶領域の一部として構成される。メモデータ生成部２００及び表示制御部４００は、制御部１０のＣＰＵがメモリに記憶されるプログラムを実行することにより実現される。
【００３３】
［原本記憶部］
原本記憶部１００は、医療器材の画像データの原本を保存する。医療器材の画像データは、医療器材の画像を表示部４０に表示するためのデータである。画像データは、医療器材を予め撮影して得られる撮影データや、医療器材の形状をコンピュータグラフィクスで表現したＣＧデータである。画像データの原本は、医療器材の画像以外のデータが含まれていないデータ（メモデータを含まないデータ）である。
【００３４】
原本の保存は、たとえば、新たな医療器材を購入した際に撮影機器で撮影を行い、その画像データを端末に取り込むことで行う。この際、医療器材の画像データには、固有の識別子（画像ＩＤ）が付与される。図４は、原本記憶部１００に記憶されているデータの一例を示す。この例において、画像データは、画像ＩＤの他、医療器材名及び医療器材の識別ＩＤが関連付けられたテーブルデータの形式で保存される。なお、制御部１０は、取り込んだ画像データを画像ＩＤ等と併せてサーバＳに送信する。
【００３５】
［メモデータ生成部］
メモデータ生成部２００は、所定の画像データに対して入力されたメモ情報を示すメモデータを生成する。
【００３６】
メモ情報とは、医療器材に対して各種作業を行う際の注意点や、医療器材のセット内容の変化等を示す情報である。メモ情報は、「曲型のペアン鉗子は先端部が壊れやすい」、「手術用セットのうち、リンパ節鉗子は故障のため修理中」といった具体的な内容をテキスト形式で入力してもよいし、注意箇所（たとえば、「曲型のペアン鉗子の先端部」や「リンパ節鉗子」）を円で囲む等、図形で描画することでもよい。
【００３７】
メモ情報は所定の画像データに対して直接入力される。メモ情報の入力は、操作部５０を介して行う。所定の画像データに対してメモ情報を入力しておくことにより、当該画像を見た作業者は注意点やセット内容の変化を把握し易くなる。
【００３８】
なお、メモ情報の入力は、システム管理者のように特定の者だけが端末にログインした場合にのみ行えるようにしてもよいし、病院内にある各端末から作業者が自由に行えるようにしてもよい。或いは、メモ情報の入力は、特定の端末のみ（たとえば、端末Ｐ１）で行えるようにしてもよい。この場合、システム管理者であっても端末Ｐ１以外ではメモ情報の入力ができない。このように特定の条件下（システム管理者のみ、特定の端末のみ）でメモ情報の入力を許可することにより、入力漏れ等を防止し、メモ情報の管理をより厳密に行うことができる。
【００３９】
メモデータの生成は、画像データ上に入力されたテキストや図形の位置情報（座標値）、入力された図形の色情報等を特定することにより行う。生成されたメモデータには、固有の識別子（メモＩＤ）が付与される。メモデータ生成部２００は、生成したメモデータ及びメモＩＤを、メモ情報が入力された画像データの識別ＩＤと併せてメモデータ記憶部３００に出力する。この際、メモデータ生成部２００は、メモ情報を入力した入力者名（入力者ＩＤ）や入力日時、入力場所等を併せて出力してもよい。また、メモデータ生成部２００は、通信部２０を介し、生成したメモデータをメモＩＤ等と併せてサーバＳに送信する。なお、メモデータは、所定の画像データに対してメモ情報の内容を図形で描画したストロークデータであることが好ましい。メモ情報を図形で入力することにより、作業者は注意点等を視覚的により把握し易くなる。
【００４０】
ここで、メモ情報の入力（メモデータの生成）について具体例を用いて説明を行う。図５Ａ〜図５Ｄは、表示部４０の表示画面を示す。この例では、４つの器材Ｅ１〜Ｅ４を含むミニトレフィンセットＸについて、器材Ｅ１が故障したというメモ情報を入力する場合を想定する。
【００４１】
システム管理者は、端末Ｐ１の表示部４０に表示された器材選択画面において、ミニトレフィンセットＸの識別ＩＤを入力する。なお、入力する情報は、医療器材名（医療器材名の一部）、画像ＩＤ、科名、滅菌方法、容器、器材点数等であってもよい。或いは、表示部４０に原本記憶部１００に保存されている医療器材のサムネイル画像を表示させ、その中からシステム管理者が任意の画像を選択することでもよい。
【００４２】
表示制御部４００は、入力された識別ＩＤに基づき、対応するミニトレフィンセットＸの画像データの原本を原本記憶部１００から読み出し、表示部４０にミニトレフィンセットＸの画像を表示させる（図５Ａ参照）。図５Ａ〜図５Ｄの表示画面においては、画像に対してメモ情報を入力するための各種アイコン（図形描画用アイコンＩＣ１、色選択用アイコンＩＣ２、テキスト入力用アイコンＩＣ３等）、及び入力したメモ情報を確定させるための登録アイコンＩＣ４等が表示される。これらのアイコンを示すデータは記憶部３０に記憶されている。表示制御部４００は、記憶部３０に記憶されているデータに基づいて、各アイコンを表示させる。
【００４３】
ここで、システム管理者が図形描画用アイコンＩＣ１の中から円形を選択し、表示された画像上で、故障した器材Ｅ１を囲むように楕円を描いたとする（図５Ｂ参照）。メモデータ生成部２００は、描画されたメモ情報（楕円）に基づいて、メモデータＭ１を生成する。なお、システム管理者は、図形の他に「故障中」等のコメントをテキストデータで併せて入力してもよい。
【００４４】
その後、システム管理者が登録アイコンＩＣ４を選択すると、メモデータ生成部２００は生成したメモデータＭ１をメモＩＤ等と併せてメモデータ記憶部３００に出力する。
【００４５】
また、メモデータと所定の画像データとが重ねて表示された状態で新たなメモ情報が入力された場合、メモデータ生成部２００は、メモデータに当該新たなメモ情報を重ねた新たなメモデータを生成する。
【００４６】
たとえば、器材Ｅ１が故障中のときに、器材Ｅ２も故障したとする。この場合、システム管理者は、端末Ｐ１において先のメモ情報（器材Ｅ１が故障中のメモ情報）と併せて新たなメモ情報を入力する（図５Ｃ参照）。メモデータ生成部２００は、メモデータＭ１に対し、追加されたメモ情報を併せて新たなメモデータＭ２を作成する。メモデータ生成部２００は、生成した新たなメモデータＭ２をメモＩＤ等と併せてメモデータ記憶部３００に出力する。
【００４７】
或いは、仮に器材Ｅ１の修理が完了した後に、器材Ｅ２が故障した場合、システム管理者は、新たなメモ情報（器材Ｅ２が故障中のメモ情報）を入力する際、先のメモ情報（器材Ｅ１が故障中のメモ情報）を画面上から消去する（図５Ｄ参照）。この場合、メモデータ生成部２００は、新たなメモ情報のみに基づいてメモデータＭ３を生成する。なお、先のメモ情報（メモデータＭ２に相当）を画面上から消去してメモデータＭ３を生成したとしても、メモデータ記憶部３００に記憶されているメモデータＭ２は消去されることはない。
【００４８】
［メモデータ記憶部］
メモデータ記憶部３００は、生成されたメモデータを、所定の画像データと関連付けて時系列に保存する。このように、本実施形態に係る端末では医療器材の画像データとメモデータとが別々で保存される。
【００４９】
図６は、メモデータ記憶部３００に記憶されているデータの一例を示す。メモデータは、メモＩＤ、画像ＩＤ、入力者ＩＤ、入力日時、及び入力した端末を示す情報が関連付けられたテーブルデータの形式で保存される。たとえば、メモデータＭ１は、固有のメモＩＤ、メモデータＭ１が入力されたミニトレフィンセットＸの画像データを示す画像ＩＤ、メモデータＭ１を入力したシステム管理者を示すＩＤ、メモデータＭ１を入力した日時、及びメモデータＭ１を入力した端末Ｐ１の情報が関連付けられている（図６参照）。同様に、メモデータＭ２（Ｍ３）は、固有のメモＩＤ、メモデータＭ２（Ｍ３）が入力されたミニトレフィンセットＸの画像データを示す画像ＩＤ、メモデータＭ２（Ｍ３）を入力したシステム管理者を示すＩＤ、メモデータＭ２（Ｍ３）を入力した日時、及びメモデータＭ２（Ｍ３）を入力した端末Ｐ１の情報が関連付けられている（図６参照）。このように、メモデータ記憶部３００は、一のミニトレフィンセットＸに関連付けられているメモデータＭ１、メモデータＭ２、及びメモデータＭ３を別々のデータとして保存する。
【００５０】
［表示制御部］
表示制御部４００は、端末における表示に関する各種制御を行う。特に、本実施形態に係る表示制御部４００は、所定の画像データに関連付けられている複数のメモデータから選択されたメモデータを、当該所定の画像データの原本に重ねて表示させる。
【００５１】
ここで、表示制御部４００の制御に関して具体例を用いて説明を行う。上記の例において、ミニトレフィンセットＸの画像データには、３つのメモデータＭ１〜Ｍ３が関連付けられている。この場合に、作業者がミニトレフィンセットＸに対して作業を行う際に、端末Ｐ１でメモ情報確認しようとしたとする。
【００５２】
まず、作業者は、表示部４０に表示された器材選択画面においてミニトレフィンセットＸの識別ＩＤを入力する。表示制御部４００は、識別ＩＤに基づき、対応するミニトレフィンセットＸの画像データの原本を原本記憶部１００から読み出す。また、表示制御部４００はミニトレフィンセットＸの画像データに関連付けられているメモデータがメモデータ記憶部３００に記憶されているかどうかを確認する。この例では、メモデータ記憶部３００には、ミニトレフィンセットＸの画像データに関連付けられたメモデータＭ１〜メモデータＭ３が記憶されている。
【００５３】
この場合、表示制御部４００は、メモデータの作成日時（或いは保存された順番）に基づいて当該画像データに関連付けられているメモデータの中から最新のメモデータを選択し、当該画像データに重ねて表示部４０に表示させることができる。最新のメモデータは、現時点で特に注意すべき点やセット内容の変化を反映したメモ情報に基づくデータである。作業者はこのようなメモデータを参照することにより、作業間違い等の防止や最新のセット内容を把握することができる。また、本実施形態に係るシステム１（端末）によれば、医療器材の画像データ上にメモデータが直接表示されるため、当該医療器材の取り扱いに関する注意点や、セット内容の変化を容易に把握することができる。
【００５４】
＝＝サーバ＝＝
サーバＳは、医療器材に関する各種情報を蓄積して管理したり、端末Ｐ１〜端末Ｐ３に対して各種情報を送受信するコンピュータである。また、サーバＳは、端末間における情報の送受信を中継する役割を有する。サーバＳは、各端末が配置される病院内に設けられてもよいし、サーバ管理会社等、別の場所に設けられていてもよい。
【００５５】
（ハードウェア構成）
図７に示すように、サーバＳは、サーバ側制御部６０、サーバ側通信部７０、サーバ側記憶部８０を備える。
【００５６】
サーバ側制御部６０は、ＣＰＵおよびメモリ（いずれも図示なし）を備える。サーバ側通信部７０は、サーバＳと各端末との通信を行うためのインターフェースを提供する。サーバ側記憶部８０は、各種のデータを記憶する大容量の記憶装置である。
【００５７】
（ソフトウェア構成）
図８はサーバＳのソフトウェア構成例を示す図である。サーバＳは、サーバ側原本記憶部５００、サーバ側メモデータ記憶部６００、メモデータ配信部７００を備える。サーバ側原本記憶部５００及びサーバ側メモデータ記憶部６００は、サーバ側記憶部８０の記憶領域の一部として構成される。メモデータ配信部７００は、サーバ側制御部６０のＣＰＵがメモリに記憶されるプログラムを実行することにより実現される。
【００５８】
［サーバ側原本記憶部］
サーバ側原本記憶部５００は、端末の原本記憶部１００に記憶されている画像データの原本と同じ画像データを記憶する。端末側で新たな医療器材の画像データが保存された場合、端末からサーバＳに同じ画像データが画像ＩＤ等と併せて送信される。サーバ側原本記憶部５００は、受信した画像データを画像ＩＤ等と併せて記憶する。すなわち、サーバ側原本記憶部５００において記憶されている画像データ等は、原本記憶部１００に記憶されている画像データ等と同じである（たとえば、図４参照）。
【００５９】
なお、サーバ側制御部６０は、一の端末から新たに画像データを受信した場合、他の端末に対して当該画像データを配信する。これにより、各端末の原本記憶部１００は、同じ医療器材の画像データを保存することができる。すなわち、サーバＳ及び各端末は、同じ画像データをリアルタイムで共有することができる。
【００６０】
［サーバ側メモデータ記憶部］
サーバ側メモデータ記憶部６００は、一の端末から送信されたメモデータを、所定の画像データに関連付けて時系列に保存する。
【００６１】
たとえば、端末Ｐ１からメモデータＭ１等が送信された場合、サーバ側メモデータ記憶部６００は、当該メモデータＭ１等を、当該メモデータが入力された画像データに関連付けて記憶する。すなわち、サーバ側メモデータ記憶部６００において記憶されているメモデータ等は、メモデータ記憶部３００に記憶されているメモデータ等と同じである（たとえば、図６参照）。
【００６２】
［メモデータ配信部］
メモデータ配信部７００は、サーバ側メモデータ記憶部６００に記憶されているメモデータを他の端末に配信する。
【００６３】
他の端末の表示制御部４００は、画像データを表示させる際に、メモデータ記憶部３００に記憶されていないメモデータがあるかどうかをサーバＳに問い合わせを行う。メモデータ配信部７００は、他の端末からの問い合わせに基づき、他の端末のメモデータ記憶部３００に記憶されていないメモデータがサーバ側メモデータ記憶部６００に記憶されていると判断した場合に、当該メモデータを他の端末に配信する。
【００６４】
たとえば、端末Ｐ２においてミニトレフィンセットＸの画像を表示させる場合、表示制御部４００は、サーバＳに対してミニトレフィンセットＸに関連付けられた新たなメモデータ（メモデータ記憶部３００に記憶されていないメモデータ）の有無を問い合わせる。メモデータ配信部７００は、端末Ｐ２からの問い合わせに基づき、端末Ｐ２に対し、最後にミニトレフィンセットＸに関連付けられたメモデータを配信した時点から今回の問い合わせが行われる時点までに、ミニトレフィンセットＸの画像データに対して新たに入力されたメモデータがあるかどうかを判断する。新たに入力されたメモデータがある場合、メモデータ配信部７００は、端末Ｐ２に対し、当該メモデータの配信を行う。このように、別の端末で入力されたメモ情報がある場合には、画像データを表示させる際に入手することができる。従って、サーバＳと各端末は、同じメモデータを共有することができる。たとえば、メモデータＭ１が共有されている場合、メモデータＭ１に相当するメモ情報が入力された端末Ｐ１とは別の端末Ｐ２や端末Ｐ３で手術用セットＸの画像を表示させた場合、メモデータＭ１に相当するメモ情報が表示されることとなる。すなわち、どの端末を利用した場合であっても、同じメモ情報を確認することができるため、作業者は注意事項等を確実に把握することができる。
【００６５】
なお、メモデータの配信は、リアルタイムで行われることでもよい。すなわち、端末Ｐ１からメモデータの送信があった場合、メモデータ配信部７００は、他の端末からの問い合わせの有無に関わらず、当該メモデータを他の端末に送信することもできる。
【００６６】
（システム１におけるメモ情報の管理）
図９を参照して、本実施形態に係るシステム１におけるメモ情報の管理について説明を行う。図９は、システム１における処理を示すフローチャートである。この例において、サーバＳ、及び端末Ｐ２は、ミニトレフィンセットＸの画像データを予め記憶しているとする。一方、サーバＳ、及び端末Ｐ２はいかなるメモデータも記憶していないとする。なお、端末Ｐ３については説明を省略するが、端末Ｐ２と同様の処理は端末Ｐ３でも行うことが可能である。
【００６７】
まず、端末Ｐ１において、ミニトレフィンセットＸの画像データに対し、メモデータＭ１が生成されたとする（メモデータの生成。Ｓ１０）。
【００６８】
端末Ｐ１のメモデータ生成部２００は、通信部２０を介し、生成したメモデータＭ１をメモＩＤ等と併せてサーバＳに送信する（メモデータの送信。Ｓ１１）。
【００６９】
サーバ側メモデータ記憶部６００は、端末Ｐ１から送信されたメモデータＭ１を、ミニトレフィンセットＸの画像データに関連付けて保存する（メモデータの保存。Ｓ１２）。
【００７０】
ここで、端末Ｐ２において、作業者がミニトレフィンセットＸのメモ情報を確認しようとしたとする（メモ情報の確認。Ｓ１３）。
【００７１】
この際、作業者は、端末Ｐ２の表示部４０に表示された器材選択画面においてミニトレフィンセットＸの識別ＩＤを入力する。端末Ｐ２の表示制御部４００は、識別ＩＤに基づき、対応する手術用セットＸの画像データの原本を端末Ｐ２の原本記憶部１００から読み出す。また、端末Ｐ２の表示制御部４００は、ミニトレフィンセットＸの画像データを表示させる場合、サーバＳに対してミニトレフィンセットＸに関連付けられた新たなメモデータの有無を問い合わせる（メモデータの問い合わせ。Ｓ１４）。
【００７２】
メモデータ配信部７００は、端末Ｐ２からの問い合わせに基づき、端末Ｐ２に対し、まだ配信していないメモデータＭ１の配信を行う（メモデータの配信。Ｓ１５）。
【００７３】
端末Ｐ２の表示制御部４００は、メモデータＭ１をミニトレフィンセットＸの画像データに重ねて表示部４０に表示させる（画像及びメモ情報の表示。Ｓ１６）。
【００７４】
このように本実施形態に係るシステム１によれば、医療器材に対するメモ情報の管理を正確に行うことができる。
【００７５】
＜変形例＞
表示制御部４００による表示制御は、作業者の要求により様々な方法が可能である。
【００７６】
たとえば、作業者が過去のメモ情報を確認したいと考える場合もありうる。このような場合、表示制御部４００は、表示部４０に、ミニトレフィンセットＸの画像データに関連付けられているメモデータの履歴を表示させる。作業者が操作部５０を介して、過去のメモデータを選択した場合、表示制御部４００は、当該メモデータをメモデータ記憶部３００から読み出して、対応する画像データに重ねて表示させることができる。すなわち、このような装置（またはシステム）によれば、一つの画像データに対して複数回に渡ってメモ情報が付加された場合であっても、メモ情報の履歴から任意の時点におけるメモ情報を確認することが可能となる。
【００７７】
また、表示制御部４００は、所定の画像データの原本のみを表示させることも可能である。
【００７８】
たとえば、画像データに関連付けられているメモデータに相当するメモ情報が、医療器材の故障、修理または欠品に関する一時的な情報を示したものであり、その状態が解消されたとする。上記の例でいえば、器材Ｅ１及び器材Ｅ２の修理が完了し、使用可能な状態になったとする。この場合、メモデータＭ１〜Ｍ３に基づくメモ情報を表示する必要はない。この場合、表示制御部４００は、ミニトレフィンセットＸの画像データの原本を原本記憶部１００から読み出し、当該原本のみを表示させることができる。このように、一時的な状況を示すメモ情報が不要となった場合には、画像データの原本のみを表示させることにより、医療器材の現状（たとえば、セットが全て揃っている状況）を把握し易くなる。なお、表示させないメモデータＭ１〜Ｍ３自体は、メモデータ記憶部３００に記憶されたままであるため、作業者等は必要に応じてメモデータの履歴から過去のメモ情報を確認することも可能である。
【００７９】
更に、表示制御部４００は、一の画像データに対して複数のメモデータを重ねて表示させることも可能である。たとえば、上記例でメモデータＭ２を重ねて表示させる代わりに、メモデータＭ１及びメモデータＭ３を重ねて表示させることでもよい。或いは、異なるタイミングで注意点に関するメモ情報が複数入力された場合等には、それらのメモ情報に基づくメモデータ全てを画像データに重ねて表示させることができる。
【００８０】
上記実施形態は、発明の例として提示したものであり、発明の範囲を限定するものではない。上記の構成は、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【００８１】
１  医療器材用メモ情報管理システム（システム）
１００  原本記憶部
２００  メモデータ生成部
３００  メモデータ記憶部
４００  表示制御部
Ｐ１〜Ｐ３  医療器材用メモ情報管理装置（端末）
Ｓ  サーバ
【図１】
2018022380.tif 000003
【図２】
2018022380.tif 000004
【図３】
2018022380.tif 000005
【図４】
2018022380.tif 000006
【図５Ａ】
2018022380.tif 000007
【図５Ｂ】
2018022380.tif 000008
【図５Ｃ】
2018022380.tif 000009
【図５Ｄ】
2018022380.tif 000010
【図６】
2018022380.tif 000011
【図７】
2018022380.tif 000012
【図８】
2018022380.tif 000013
【図９】
2018022380.tif 000014